(57)【要約】【課題】木材及び建築廃材を小型装置で低動力且つ効率的に小片に破砕する。【解決手段】  目的達成を図る手段として、回転半径の小さい回転軸の円周軌道上に、破砕工具を複数個備えた工具ドラムと、回転半径の大きい回転軸の円周軌道上に、前記工具ドラムを複数個配置するロータリードラムを構成する。各々のドラム軸を木材の破砕方向に所定の速度で駆動する。工具ドラムの破砕工具は櫛型状を形成し、工具破砕部の抜けたところに次列の工具破砕部が来るように配置する。ロータリードラム前面に木材を圧縮し送り込む一対のフイードロール具備する。  以上のように構成することにより、圧縮割れの生じた木材を連続的に小片に、低動力且つ効率的に破砕を行せしめる。【選択図】      図１
2005185879.tif 000002
【特許請求の範囲】
【請求項１】
回転半径の小さい回転ドラムの円周軌道上に,破砕工具を複数個備えた工具ドラム形成し、回転半径の大きい回転ドラムの円周軌道上に、前記工具ドラムを複数個配置するロータリードラムを構成する。各々のドラムを同一方向に所定の速度で回転させることを特徴とする木材の破砕装置。
【請求項２】
請求項１に記載する木材の破砕装置において、工具ドラムの破砕工具はドラム軸方向に櫛型状に、これを円周方向に複数列に配置し、前列工具破砕部の抜けたところに次列工具の破砕部が来るように配置したことを特徴とする。
【請求項３】
請求項１に記載する木材の破砕装置において、工具ドラムの軸端に回転歯車を嵌合させ、ロータリードラム軸に軸受を介して支承される大径と小径の２種類の歯を有する歯車の、小径側を工具ドラム各歯車に内接させ、大径側を入力駆動歯車に噛み合わせたことを特徴とする。
【請求項４】
破砕工具有するドラム前面に上下一対のフィードロールを配置し、上ロールを昇降自在とし、上ロールを挟んで後面側に下ロール、前面側に下ガイド配置することを特徴とする木材の破砕装置。
【請求項５】
請求項４の上フィ−ドロールにおいて、ロータリードラム軸に軸受を介して取り付けたアームの端に上フィードロールの軸受箱を設け、このアームの回転軌跡上をアクチエータにより昇降させることを特徴とする。
【請求項６】
請求項４、５の上フィードロールのおいて、ロータリードラム軸端にホィールを嵌め、上フィードロール軸端に嵌めたホィールとをベルト又はチェーンで結び、ロータリードラムの回転と上フィードロールの回転とを連動することを特徴とする。また同じ方法で下フィードロールを駆動することにも適用される。
【請求項７】
請求項４のフィードロール胴部外周に凸部を複数個設け、その外面にスパイク形凸部を規則的配列に従って配置したことを特徴とする。
【請求項８】
請求項１の破砕機構と、請求項４のフィード機構を組み合わせたことを特徴とする木材の破砕装置。
【発明の詳細な説明】
【技術分野】
【０００１】
本発明は木材の破砕装置に係り、特に一般木材と建築廃材の破砕に共用出来る好適な小規模で搬送容易な木材の破砕装置に関する。
【背景技術】
【０００２】
従来の木材破砕装置には、装置を小形化した例としてたとえば、特許文献１のような例がある。
【０００３】
以下図１１、図１２により従来例について説明する。図１１は、特許文献１の廃材の粉砕部分を示す。廃材２０１ａは、廃材送りローラー（図示省略）により固定式櫛歯状受台１１３の上に送られてき、回転櫛歯状刃削り１１０により粉砕する構造になっている。
【０００４】
しかしながら、この構造では、廃材２０１ａが図１１のように薄い板状の場合には適するが、図１２のように廃材２０１ｂが、例えば解体家屋の梁のように厚い場合には、これを細かく粉砕することは、極めて困難であると同時に動力も大きくなる。また、廃材に釘などの金属片が含まれている場合には、櫛状の回転櫛歯状刃削り１１０と固定式櫛歯状受台１１３の間に挟み込まれることになるため、たとい硬質焼入鋼を使用しても、刃部の損傷は避けられない欠点があった。
【特許文献１】特開２００２−１１３６９号  公報
【発明の開示】
【発明が解決しようとする課題】
【０００５】
これまでの木材の破砕装置は、例えば図１１のように破砕工具を取り付けた回転体を１回転する間に破砕する木材厚さ全体を破砕する必要があるため、小片に破砕するには難点があつた。また、板厚が厚い木材を破砕する時には、大きな破砕力を必要とするためと、回転体で破砕後さらに細かく破砕する必要より、装置が大型となり、装置の搬送と高価格と云う問題が生じている。合わせて上述のように刃物の損傷が問題となっている。
【課題を解決するための手段】
【０００６】
上記目的を達成するため、本発明は、破砕工具を回転可能な回転体（以下、工具ドラムと称する）に取り付け、複数個の工具ドラムを回転可能な回転体（以下、ロータリードラムと称する）に装着したこと、ロータリードラム前面にその胴部外周面に凸を形成しその表面にスパイク状の突起を有する上下一対のフィードロールを配置したことを特徴とする木材の破砕装置を提供するものである。
【発明の効果】
【０００７】
工具ドラムの破砕工具回転軌道は小さく、ロータリードラムでの木材に接する破砕工具の破砕軌道は大きい、工具ドラムを回転させながらロータリードラム回転させることにより、小片の破砕で厚い木材を小さな力で容易に破砕出来る。工具ドラムを複数個具備することで、連続的で効率の良い破砕が行われる。
【０００８】
ロータリードラム前面に配置した一対のフィードロールと下ガイドはその配列により木材を噛み込んだ状態で上フィードロールを加圧すると胴部凸部による集中曲げ力が木材に作用し、スパイク状の突起と合いまって、木材に割れが生じ、回転により連続的に割れの生じた木材ロータリードラムに搬入される。このことは工具ドラムの破砕力を軽減しより効率の良い破砕が可能となる。破砕工具を櫛状にしその配置を千鳥にすることにより、釘等の介在金物を直接切断することが避けられるので、破砕工具の損傷が小さいものとなる。
【実施例】
【０００９】
以下本発明の一実施例を、図面を用いて説明する。
【００１０】
図１は本発明、木材の破砕装置の断面を示し、図２はその外面、図３は図１のイ−イ線断面矢視図で装置の破砕工具回転軸の軸方向断面を示す。
【００１１】
図１において、１工具ドラムは図４、図５に示す２破砕工具を所定の員数取り付けた３工具ホルダー、この３工具ホルダーを所定の員数組合せ４工具ドラム軸に嵌め合わせて構成される。２破砕工具は１破砕ドラムの外周面に図５に示すように、千鳥状に配置する。６ロータリードラム軸を有する回転半径の大きいドラムのある円周軌道に４個の１工具ドラムを装着し５ロータリードラムを構成する。
【００１２】
各々の１工具ドラムは７工具ドラムモータにより図６に示す８ピンオンギャと噛合う９大ギャ、これと一体の１０小ギャ、この１０小ギャと各々の４工具ドラム軸に嵌り合う１２ドラムギャにより駆動される。一体なる９大ギャと１０小ギャは１１ベアリングを介して６ロータリードラム軸に支承されているのでロータリードラムの回転に影響されることなく、７工具ドラム駆動モータの回転力が４工具ドラム軸に伝達される。
【００１３】
図３において、４ロータリードラムは１３ロータリドラム駆動モータより１４モータホィールと１５ドラム駆動ベルトで係合する６ロータリードラム軸に嵌め込んだ１６ドラム入力ホィールを介して駆動される。
【００１４】
図１において、５ロータリードラム前方に１７下フードロール、１８上フードロール１９下ガイドの順に配置する。１７、１８上下フィードロールは図７、図８に示すように、その胴部外周面に８個の２５凸ブロックを取り付け、その外面はスパイク状突起２６スパイクを具備する。１８フィードロールは図３に示す６ロータリードラム軸の両端にベアリング（図示なし）にその一端を支承される２０アームに支持され、２０アームの回転軌道上を２４シリンダーで昇降するよう構成する。１８フィードロールの駆動は、６ロータリードラム軸の反モータ側軸端に嵌め込んだ２１ドラム出力ホィール、１８上フィードロール軸端に取り付けられた２２フィードロールホィール、これを結ぶ２３ロール駆動ベルトによりなされる。
【００１５】
以上のように構成された木材の破砕装置における破砕作業ついて順を追って説明する。装置前面に配置する２７チェンコンベァに２７木材を積載する、１８フィードロール５ロータリードラム１工具ドラムを各々所定の速度で回転させる。また１８フィードロールは所定の開度で待機させておく。２７チェンコンベァの動作により２９木材は５ロータリードラムに搬入され、１８フィードロールを２４シリンダーにより下降加圧する、２９木材に集中曲げ力とスパイクの噛み込みにより割れキズが発生する。その木材の先端を１工具ドラムが回転しながら５ロータリードラムの回転により、木材の上部から下部に向って通過する。木材は工具ドラムの回転軌跡で小片破砕される。釘等の金物は材木の割れキズで剥離状態となっており、破砕工具で脇に押し出され、切削されることなく下部に落下する。
このような条件で破砕されるので、小さい力で４個の工具ドラムが連続的に破砕作業が実施することにより、高効率の破砕が行われる。破砕された木材の小片は、装置下部に設置した２８ベルトコンベァ上に落下し、装置外部に搬送される。
【００１６】
以上に述べたように小動力で厚い木材を効率良く小片に、且つ金物による破砕工具の損傷ない破砕装置を小型に構築することが可能なり、図１０に示すように３０小型トラックに本発明による３１木材の破砕装置を積載し、家屋の解体現場に派遣することが出来る。
【図面の簡単な説明】
【００１７】
【図１】本発明の一実施例による木材の破砕装置を木材の搬入方向での断面図
【図２】木材の破砕装置の側面図
【図３】図１のイ-イ線断面矢視図
【図４】工具ドラム詳細断面図
【図５】図４の一部側面図
【図６】工具ドラムの駆動系を示す、図３のロ-ロ断面矢視図
【図７】フィードロール胴部詳細断面図
【図８】図７の一部側面図
【図９】本発明の木材の破砕装置を搬送する図
【図１０】破砕木材の形状説明図
【図１１】従来の回転櫛歯状刃削りで薄板破砕を示す図
【図１２】従来の回転櫛歯状は削りで厚い木材破砕を示す図
【符号の説明】
【００１８】
１  工具ドラム
２  破砕工具
３  工具ホルダー
４  工具ドラム軸
５  ロータリードラム
６  ロータリードラム軸
７  工具ドラム駆動モータ
８  ピニオンギャー
９  大ギャー
１０  小ギャー
１１  ベアリング
１２  ドラムギャー
１３  ロータリードラム駆動モータ
１４  モータホィール
１５  ドラム駆動ベルト
１６  ドラム入力ホィール
１７  下フィードロール
１８  上フィードロール
１９  下ガイド
２０  アーム
２１  ドラム出力ホィール
２２  フィードロールホィール
２３  ロール駆動ベルト
２４  シリンダー
２５  凸ブロック
２６  スパイク
２７  チェーンコンベァ
２８  ベルトコンベァ
２９  木材
３０  小型トラック
３１  木材破砕装置
【図１】
2005185879.tif 000003
【図２】
2005185879.tif 000004
【図３】
2005185879.tif 000005
【図４】
2005185879.tif 000006
【図５】
2005185879.tif 000007
【図６】
2005185879.tif 000008
【図７】
2005185879.tif 000009
【図８】
2005185879.tif 000010
【図９】
2005185879.tif 000011
【図１０】
2005185879.tif 000012
【図１１】
2005185879.tif 000013
【図１２】
2005185879.tif 000014